(57)【特許請求の範囲】
【請求項１】
アナログビデオデータをデジタル形式に変換するための装置であって、
アナログビデオ出力を生成するためのアナログビデオカセットプレーヤと、
前記アナログビデオ出力をデジタルデータに変換するためのアナログデジタル変換器と、
前記デジタルデータを記憶するためにデジタル記憶媒体を使用する少なくとも１つのレコーダであって、前記カセットプレーヤ、前記変換器、及び前記デジタル記憶媒体が、単一のコンテナ内に配置され、前記デジタル記憶媒体が前記コンテナに挿入でき、且つ前記コンテナから取り外すことがきる、少なくとも１つのレコーダと、
少なくとも１つのマーカを前記デジタルデータのシーケンスの特定位置に挿入するためのキーフレームマーカとを含み、
前記キーフレームマーカが、ビデオ画像シーケンスの急激な変化にマーキングし、それによりユーザが特定のビデオシーケンスの開始および終了を容易に突きとめることが可能になる、装置。
【請求項２】
アナログビデオデータをデジタル形式に変換するための装置であって、
アナログビデオ出力を生成するためのアナログビデオカセットプレーヤと、
前記アナログビデオ出力をデジタルデータに変換するためのアナログデジタル変換器と、
前記デジタルデータを記憶するためにデジタル記憶媒体を使用する少なくとも１つのレコーダであって、前記カセットプレーヤ、前記変換器、及び前記デジタル記憶媒体が、単一のコンテナ内に配置され、前記デジタル記憶媒体が前記コンテナに挿入でき、且つ前記コンテナから取り外すことがきる、少なくとも１つのレコーダと、
少なくとも１つのマーカを前記デジタルデータのシーケンスの特定位置に挿入するためのキーフレームマーカとを含み、
前記キーフレームマーカが、前記デジタルデータのシーケンスに選択可能な時間間隔で位置をマーキングする、装置。
【請求項３】
前記ビデオカセットプレーヤが、ＶＨＳフォーマット又は８ｍｍフォーマットの一方を採用する、請求項１又は２に記載の装置。
【請求項４】
前記デジタル記憶媒体が、ＣＤ−Ｒ、ＣＤ−ＲＷ、又は記録可能なＤＶＤの１つである、請求項１又は２に記載の装置。
【請求項５】
前記デジタル記憶媒体が、ユーザによって選択可能である、請求項１又は２に記載の装置。
【請求項６】
アナログビデオデータをデジタル形式で保存するための方法であって、
コンテナを準備するステップと、
前記コンテナにおいて、アナログビデオテープからアナログビデオ出力を生成するステップと、
前記コンテナにおいて、前記アナログビデオ出力をデジタルビデオデータに変換するステップと、
取り外し可能デジタル記憶媒体を前記コンテナに挿入するステップと、
前記コンテナにおいて、前記デジタルビデオデータを前記デジタル記憶媒体に記憶するステップと、
前記デジタルビデオデータのシーケンスの特定位置に少なくとも１つのマーカを挿入するステップとを含み、
前記マーカが、前記デジタルビデオデータのシーケンスにおけるシーンの変化に基づいてキーフレームに挿入されることにより、ユーザが前記デジタルビデオデータのシーケンスにおける特定のセグメントを容易に特定することが可能となり、前記キーフレームは、シーンの変わり目に基づいて判断され、シーンの変化が発生するフレームを表す、方法。
【請求項７】
アナログビデオデータをデジタル形式で保存するための方法であって、
コンテナを準備するステップと、
前記コンテナにおいて、アナログビデオテープからアナログビデオ出力を生成するステップと、
前記コンテナにおいて、前記アナログビデオ出力をデジタルビデオデータに変換するステップと、
取り外し可能デジタル記憶媒体を前記コンテナに挿入するステップと、
前記コンテナにおいて、前記デジタルビデオデータを前記デジタル記憶媒体に記憶するステップと、
前記デジタルビデオデータのシーケンスの特定位置に少なくとも１つのマーカを挿入するステップとを含み、
前記マーカが、前記デジタルビデオデータのシーケンスの位置に選択可能な時間間隔で挿入される、方法。
【発明の詳細な説明】
【０００１】
【発明の属する技術分野】
本発明は、概して、ビデオデータ記憶に関し、特に、データ記憶技術の変換に関する。
【０００２】
【従来の技術】
パーソナルコンピュータ（ＰＣ）市場において、写真のイメージングの態様が発展してきている。デジタルカメラにより、デジタル画像の取り込みが可能である。そして、これら画像は、カメラからＰＣにダウンロードされ、処理および印刷される。ＰＣ処理能力の増大により、より豊かな画像内容、すなわちビデオデータを処理することができるようになっている。ビデオデータは、ビデオデータファイルのサイズが大きいため、ＺＩＰドライブ等の大容量ドライブを含むフロッピードライブの容量を超え、ハードドライブをすぐに満杯にする。このため、ＣＤ−ＲＷおよびＤＶＤ媒体等、オフライン記憶が強く必要とされている。
【０００３】
更に、数千万台のビデオカメラが販売され、数百万時間のビデオデータが記録されている。かかるデータは、時間の経過に伴って劣化する磁気媒体に記憶される。テープの寿命は、人間の寿命よりはるかに短い。子供が小さい時に作成したその子供のテープは、その子供が成長して隠退する時には恐らく使用できないだろう。テープの保存寿命は、環境条件によって大きく変る。一般に、テープの寿命は、ＣＤ、ＣＤ−ＲＷおよびＤＶＤのような光学媒体の寿命より実質的に短い。従って、より長い期間データを保存することが強く必要とされている。
【０００４】
最新のコンピュータシステムは、ビデオキャプチャユニットを用いて、ビデオストリームをハードドライブに記憶されるデジタルビデオに変換する。ＰＣへの接続は、パラレルＰＣＩまたはＳＣＳＩ等のコンピュータインタフェースを介しており、それは内蔵してもよく、または外付けしてもよい。別個のソフトウェアプログラムがビデオの取り込み、および圧縮を制御する。一般に、現在使用されている圧縮フォーマットには、ＭＰＥＧ−１、ＭＰＥＧ−２、ＡＶＩまたはＭＪＰＥＧが含まれる。そして、一旦データがハードドライブに取り込まれると、別のソフトウェアプログラムを用いてそのビデオデータが処理され、または編集される。編集には、タイトル付け、オーバーレイおよびトランジション効果等の動画効果の付与が含まれうる。そして、別のソフトウェアプログラムを用いて、ＤＶＤ、テープまたはＣＤ−ＲＷディスク等の別の記憶装置にビデオデータが記憶される。
【０００５】
【発明が解決しようとする課題】
最新の技術の１つの問題は、インストールである。ビデオキャプチャユニットおよび各種ソフトウェアプログラムのインストールは、時間がかかり、かつ単調である。更に、種々の要素が、ホストコンピュータシステムとまたは互いに互換性が無い場合がある。例えば、ビデオキャプチャユニットは、ホストコンピュータシステムと動作しない場合がある。それは、システムのパラレルポートがビデオキャプチャユニットによって要求される規格に準拠しないためである。これらの問題は、多くのビデオカメラのユーザが解決する範囲を超えている。また、現存するホストシステムのハードウェアおよびソフトウェアコンポーネントは、ビデオキャプチャユニットおよびビデオソフトウェアプログラムの動作を妨げる可能性がある。例えば、システムサウンドカードは、ビデオオーディオ信号がビデオキャプチャユニットを介してパラレルポートを通って転送される際に、そのビデオオーディオ信号にノイズを差しはさむ可能性がある。これらの問題は、多くのビデオカメラのユーザが解決する範囲を超えている。
【０００６】
別の問題は、ビデオキャプチャユニットが、変換されたデータストリームに索引付けしないということである。換言すれば、ビデオキャプチャユニットは、シーンの変わり目（transition）、例えばバケーションの一節（verse）のビデオセグメントから誕生日パーティのビデオセグメントへの変わり目等にマーキングしない。キャプチャユニットは、単に、データストリームをデジタルストリームに変換するのみである。このため、ユーザがストリームにおいて特定のビデオセグメントの場所をみつけることは、ユーザがビデオストリーム全体を直線的に入念に調べなければならないため、困難であり時間がかかる。
【０００７】
従って、本技術において、使用が簡単であり、ＰＣが不要であり、大抵のコンピュータシステムに対してビデオデータの前処理をいっそう容易にする、自動索引付け機能を備えたビデオデータ転送装置が必要とされている。
【０００８】
【課題を解決するための手段】
これらおよび他の目的、特徴および技術的利点は、ビデオデータ変換用のスタンドアロンシステムを使用するシステムおよび方法によって達成される。本発明の装置により、ユーザは、ＶＨＳまたはデジタルビデオ等のオリジナルフォーマットから、ＣＤ−Ｒ（読み取り専用コンパクトディスク）、ＣＤ−ＲＷ（読み取り書き込みコンパクトディスク）またはＤＶＤ−ＲＷ（読み取り書き込みデジタルビデオディスク）等の光学媒体にデータを転送することができ、それを、シングルステップ変換プロセスにおいてビデオ編集および生成等の非線形コンピュータアプリケーションで使用するために備えることができる。
【０００９】
本発明の装置は、ビデオテープを収容する投入スロットを有する。そして、本発明の装置は、ビデオテープのビデオデータをデジタルビデオデータに変換し、そのビデオデータのシーンの変化部分にトラック起点マーカを挿入する。そして、本発明の装置は、ユーザの選択により、ＣＤまたはＤＶＤディスクにデジタルデータを記憶する。なお、一般に、１本のビデオテープは２時間分のビデオデータを保持し、１枚のＣＤディスクは１時間分のビデオデータを保持することになるため、本発明の装置は、好ましくは２枚のＣＤディスクを保持するためのスロットを有する。これにより、ユーザを促してＣＤディスクを空のＣＤディスクと交換させる必要がなく、ＣＤディスクへの転送が可能となる。そして、転送後、ユーザはＣＤまたはＤＶＤディスクをコンピュータに挿入して追加の処理を行うことができる。ビデオディスクは、データがＭＰＥＧ−１、ＭＰＥＧ−２、または他の今後開発されるフォーマット等の規格フォーマットで記憶されているため、大抵のコンピュータシステムと互換性がある。
【００１０】
好ましくは、本発明の装置は、ユーザの介入をほとんど必要とすることなく動作する。ユーザは、出所（ソース）テープと、１枚または２枚のＣＤ−ＲＷディスクか、または１枚のＤＶＤ−ＲＷディスクのいずれかを挿入する。そして、本発明の装置は、ソーステープからのデータの処理を自動的に開始する。あるいは、本発明の装置は、標準のビデオ入力コネクタを有する。これらのコネクタにより、本発明の装置をＶＣＲ機等のビデオプレーヤに直接接続することができる。これにより、本発明の装置は、外部テーププレーヤをビデオ情報のソースとして利用する。
【００１１】
好ましい実施態様では、本発明の装置はまた、ビデオデータにトラック起点マーカを挿入する。このマーカは、時間ベースとすることができる。例えば、ビデオデータの実時間の１０分毎にマーカを挿入する。また、本発明の装置は、人間および建物等の内容の変化を含むシーンの変化に基づいても、マーカを挿入することができる。本発明の装置は、ビデオデータを分析して、そのビデオデータがいつ異なるシーンまたはセグメントに切り替わったかを判断し、変わり目のポイント（箇所）にマーカを挿入する。また、本発明の装置は、時間とシーンとの両方に基づいてマーカを挿入することもできる。ユーザは、例えばキーパッドまたはコントロールパッド等のユーザインタフェースを介して、適切なマーカ情報を選択して挿入することができる。
【００１２】
従って、本発明の技術的利点は、ビデオデータをテープからディスクに変換するためにスタンドアロン装置を使用することであり、これにより、その装置が、この変換を実行するために目下必要とされる時間、知識および労力を低減する。
【００１３】
本発明の別の技術的利点は、ビデオを取り込んで、ビデオ編集に使用可能でありかつコンピュータ上での表示に適したフォーマットにするために必要な時間が低減される、ということである。
【００１４】
本発明のさらなる技術的利点は、取り込まれたビデオの非線形編集を、手動の索引付けに必要なコストをかけることなく、または時間をかけることなく、即時に実行することができる、ということである。
【００１５】
本発明のさらに別の技術的利点は、本発明の装置によって生成されるディスクが、特別なセットアップまたはフォーマッティングなしに多くのコンピュータシステムと互換性がある、ということである。
【００１６】
本発明のさらに別の技術的利点は、ビデオデータをアナログ磁気ビデオテープによって可能である以上に長い期間、データを劣化させることなく、保存することができる、ということである。
【００１７】
以上、以下の本発明の詳細な説明がよりよく理解されるために、本発明の特徴および技術的利点をある程度大まかに概説した。本発明の特許請求の範囲の主題を形成する本発明の追加の特徴および利点を、以下に説明する。なお、当業者により、本発明と同じ目的を実行するために他の構成を修正または設計するための基礎として、開示された概念および具体的な実施態様を容易に利用することができる、ということが認められるべきである。当業者により、かかる同等の構成が、特許請求の範囲に記載するような本発明の思想および範囲から逸脱しない、ということもまた理解されるべきである。
【００１８】
ここで、本発明およびその利点をより完全に理解するために、図面と共に以下の説明を参照する。
【００１９】
【発明の実施の形態】
図１は、本発明の好ましい実施態様による本発明のビデオ変換装置１０（以下、単に装置１０とする）を示す。本発明の装置１０は、好ましくは、ＶＨＳテープ、８ｍｍテープ、スーパーＶＨＳテープ、デジタルビデオテープおよび／または他のビデオソースからの内容を、コンパクトディスク（ＣＤ）、デジタルバーサタイルディスク（ＤＶＤ）または将来のフォーマットのいずれかに直接変換するスタンドアロン装置である。本発明の装置１０は、好ましくは、電源接続１９を介して電源に接続される。
【００２０】
本発明の装置１０はビデオテープスロット１１（以下、単にスロット１１とする）を含み、ユーザはここにビデオデータソーステープ（入力ソーステープ）１２を挿入する。スロット１１は、以下のビデオフォーマットのうちの１つに対して寸法が決められている。すなわち、ＶＨＳテープ、コンパクトＶＨＳテープ、８ｍｍテープ、デジタルビデオ（ＤＶ）テープまたは他のビデオテープフォーマットである。なお、複数のスロット１１を装置１０に組込み、各々のスロットが複数の異なるテープフォーマットのそれぞれに対応するようにしてもよい。本発明の装置１０は、好ましくは、テープ１２を再生するために周知のＶＣＲタイプの技術を使用する。また、好ましくは、本発明の装置１０は、複数のビデオ入力接続１７を有する。これらビデオ入力接続１７により、ＶＣＲ機またはビデオカメラ等の標準のテーププレーヤを装置１０に接続することができる。従って、装置１０に、電源接続１９を介して携帯型電源が設けられている場合、本発明の装置を、ビデオカメラ用の携帯型ビデオ記憶装置として使用することができる。なお、ビデオ入力接続１７をスロット１１の代りに、またはスロット１１を補うために使用してもよい。
【００２１】
ユーザが宛先ビデオデータディスク１４を挿入するために、宛先スロット１３が設けられる。なお、１本のビデオテープは一般に２時間分のビデオデータを保持し、１枚のＣＤディスクは１時間分のビデオデータを保持することとなるため、本発明の装置は、好ましくは２枚目のＣＤディスクを保持するために２つ目のスロットを含む。宛先デバイスがＤＶＤディスクである場合、２枚目のディスクは不要である。あるいは、ディスクが満杯になるまでビデオデータを転送することができ、満杯になると、本発明の装置がユーザに対しディスクを空のディスクに交換するよう促す。ユーザは、好ましくは、装填されているディスクの種類、すなわちＣＤであるかＤＶＤであるかを、コントロールパッド１５を介して識別する。あるいは、本発明の装置は、ディスクのタイプを自動的に判断することができる。本発明の装置１０は、ディスク１４に記録するために周知のＣＤ／ＤＶＤタイプの技術を使用する。
【００２２】
代替の好ましい実施態様では、本発明のデータ変換装置はディスクチェンジャを含み、それにより、装置が単一の記録ヘッドを使用して複数のＣＤに記録をすることができる。好ましくは、ディスクチェンジャは、複数のディスクを配置するための複数のスロットを有するトレイを含む。１枚のディスクに情報が完全にロードされると、トレイはディスク記録ヘッドに対して次の空のディスクを提供する。このプロセスは、ソースビデオカセットのすべての情報がＣＤに完全に転送されるまで続く。あるいは、記録装置は、一度に１枚のＣＤしか処理することができず、ユーザに対し、データで満杯になっているＣＤを取除き新たな空のＣＤを挿入するよう促す。
【００２３】
ユーザは、ソーステープ１２および宛先ディスク１４を装填した後、コントロールパッド１５上に配置されたスタートボタンを押下する。あるいは、本発明の装置は、媒体の装填が完了した後に自動スタートする。ディスプレイ１６は、ユーザに対し、変換動作の状態、例えば、進行中、経過した実時間、完了、空のディスクの挿入等を通知する。なお、入力ソースが宛先ディスクより大きい場合、装置１０は、ユーザに対し別のディスクを挿入するよう促し、そして変換動作が再開する。この動作は、入力ソーステープ１２の全内容が宛先ディスク１４にコピーされるまで続く。本発明の装置１０は、ソーステープ１２からのビデオデータをディスク１４に記録するためのビデオデータに変換するために、周知のアナログデジタルビデオデータ変換技術を使用する。変換に使用可能な規格の例には（但し限定されないが）、ＩＳＯ／ＩＥＣフォーマット、すなわち１３８１８−１、１３８１８−２および１３８１８−３（ＭＰＥＧ仕様）がある。ユーザは、必要な場合は、コントロールパッド１５上のコントロール手段を介して、手動で動作を中断させることができる。また、コントロールパッド１５は、テープ１２およびディスク１４を排出するためのイジェクトボタンも含む。
【００２４】
変換中、装置１０を、コントロールパッド１５を介して、変換されたビデオデータストリームの特定の位置にマーカを配置するよう設定することができる。このマーカは、特定量の実時間分のビデオデータが変換された後にマーカが挿入されるよう、例えば、実時間１０分のビデオデータ毎にマーカを挿入する等のように、時間ベースとすることができる。また、本発明の装置は、例えば、あるビデオセグメントが誕生日パーティのビデオデータを含み、次の連続したセグメントがスキー旅行のビデオデータを含む等、シーンの変化に基づいてキーフレームにマーカを挿入することも可能である。本発明の装置１０は、好ましくは、ビデオデータを分析し、シーンの変わり目に基づいていずれのフレームがキーフレーム（シーンの変化が発生するフレーム）かを判断する。また、本発明の装置は、時間とシーンとの両方に基づいてマーカを挿入することも可能である。キーフレームマーカの挿入に関して、ここでは、同一の譲受人に譲渡された、「SYSTEM AND METHOD FOR AUTOMATICALLY DETECTING THE KEYFRAMES FROM COMPRESSED VIDEO DATA」と題された米国特許出願第０９／０６２，８６８号を参照する。なお、この出願の開示内容は、引用をもって本明細書に包含されたものとする。例えば、１つのビデオセグメントまたはシーンが１０分より長い実時間のビデオデータを含む場合、本発明の装置は、１０分のポイントでトラック起点マーカを配置する。ユーザは、コントロールパッド１５を介して適切なマーカ情報を選択し入力することができる。
【００２５】
なお、本発明の装置１０は、ビデオデータを例えばＭＰＥＧ、ＡＶＩ、ＭＪＰＥＧ等のさまざまなデジタルフォーマットに変換することができる。ユーザは、コントロールパッド１５を介して所望のフォーマットを選択することができる。ユーザがフォーマットを選択しない場合、本発明の装置１０によりデフォルトのフォーマットが選択される。
【００２６】
変換が完了した後、ユーザは、ディスク１４を取り除き、その後ディスク１４に記憶されたビデオファイルを再生または編集することができる。ディスクを編集するために、ユーザは、ビデオ編集ソフトウェアを有するコンピュータシステム（または他の編集システム）内にディスク１４を配置する。ビデオデータが標準フォーマットで記憶されているため、大抵の編集プログラムがそのデータを処理することができる。ディスクを再生するために、ユーザは、ビデオファイルを再生するために必要なソフトウェア／ハードウェアを備えたコンピュータシステムまたは他のプレーヤ内に、ディスクを配置する。ビデオデータが標準フォーマットで記憶されているため、大抵のプレーヤがそのデータファイルを再生することができる。なお、ビデオ接続１７を介して、装置１０自体をビデオプレーヤとして使用することも可能である。また、本発明の装置１０は、光学媒体がＰＣに挿入された時に自動的にユーザにサムネイルアクセスを提供する。これは、ユーザに対してサムネイルを表示するソフトウェアパッケージを自動起動することにより達成される。
【００２７】
装置１０を、パラレルポート等のコンピュータ接続１８を介してコンピュータシステムに接続することができる。この接続により、装置は、現存のビデオフォーマットに対するアップグレードを新たなデジタル記憶フォーマットと共に受信することができる。また、この接続により、インストールされるべき他のプログラミングまたはアップグレードも考慮される。更に、この接続により、装置１０のトラブルシューティングおよび／またはメンテナンスも考慮される。また、コンピュータ接続１８は、モデム接続を含むことができる。それにより、装置１０は、アップグレード、再プログラミングまたは他のメンテナンスのために、本装置に組込まれているモデムを介して中央システムと直接通信することができる。モデム通信は、コントロールパッド１５を介してユーザにより、あるいは装置１０により自動的に起動される。
【００２８】
本発明およびその利点を詳細に説明したが、ここでは、特許請求の範囲によって定義されているような本発明の思想および範囲から逸脱せずに、あらゆる変更、代用および代替を実行することが可能であることを理解されたい。更に、本出願の範囲は、本明細書で述べられたプロセス、機械、製品、物体の構成、手段、方法およびステップの特定の実施態様に限定されるよう意図されていない。当業者が本発明の開示から容易に認めるように、本発明に従って、本明細書で述べられた対応する実施態様と実質的に同じ機能を実行するか、または実質的に同じ結果に達する、現存するかまたは後に開発される、プロセス、機械、製品、物体の構成、手段、方法またはステップを使用することができる。従って、特許請求の範囲は、かかるプロセス、機械、製品、物体の構成、手段、方法またはステップをそれらの範囲内に含むことが意図されている。
【００２９】
以下においては、本発明の種々の構成要件の組み合わせからなる例示的な実施態様を示す。
１．アナログビデオデータ（12）をデジタルフォームに変換するための装置（10）であって、
アナログビデオ出力を生成するためのアナログビデオカセットプレーヤ（11）と、
前記アナログビデオ出力をデジタルデータに変換するためのアナログデジタル変換器と、
前記デジタルデータを記憶するためにデジタル記憶媒体（14）を使用する少なくとも１つのレコーダとを含み、
前記カセットプレーヤと、前記変換器と、前記少なくとも１つのレコーダとが、単一のコンテナ内に配置されている、装置。
２．外部ソースからアナログビデオ情報を受信するためのビデオポート（17）を更に含む、上記１記載の装置。
３．前記ビデオカセットプレーヤ（11）は、ＶＨＳフォーマットを採用する、上記１記載の装置。
４．前記デジタル記憶媒体（14）は、ＣＤ−ＲまたはＣＤ−ＲＷのうちの一方である、上記１記載の装置。
５．前記デジタル記憶媒体（14）は、記録可能なＤＶＤである、上記１記載の装置。
６．前記デジタル記憶媒体（14）は、ユーザによって選択可能である、上記１記載の装置。
７．ビデオ画像シーケンスの急激な変化をマーキングすることにより、ユーザが特定のビデオシーケンスの開始および終了を容易に突きとめることができるようにするキーフレームマーカを更に含む、上記１記載の装置。
８．前記デジタルデータのシーケンスに選択可能な時間間隔で位置をマーキングするためのキーフレームマーカを更に含む、上記１記載の装置。
９．前記ビデオカセットプレーヤ（11）は、８ｍｍフォーマットを採用する、上記１記載の装置。
１０．アナログビデオデータ（12）をデジタルフォームで保存するための方法であって、
アナログビデオテープからアナログビデオ出力を生成するステップと、
前記アナログビデオ出力をデジタルビデオデータに変換するステップと、
前記デジタルビデオデータを不揮発性デジタル記憶媒体（14）に記憶することにより、前記データを長時間にわたって劣化から保護するステップと、及び
前記生成するステップ、変換するステップおよび記憶するステップを実行するために、単一のコンテナ（10）を設けるステップと、
を含む、方法。
【００３０】
【発明の効果】
本発明によって、使用が簡単であり、ＰＣが不要であり、大抵のコンピュータシステムに対してビデオデータの前処理をいっそう容易にする、自動索引付け機能を備えたビデオデータ転送装置が提供される。
【図面の簡単な説明】
【図１】本発明の好ましい実施態様による本発明のビデオ変換装置を示す。
【符号の説明】
10  ビデオ変換装置
11  ビデオテープスロット
12  ビデオデータソーステープ
14  宛先ビデオデータディスク
【図１】
0004845251.tif 000002